(57)【要約】【課題】ＧＰＳ受信装置を備えていない撮像装置で撮影された画像データを、撮影位置情報で管理する方法および装置を提供する。【解決手段】ＧＰＳ受信装置１０１と、撮像装置１０２と、ＧＰＳ受信装置１０１で受信したＧＰＳデータを入力するＧＰＳデータ入力部１０４と、撮像装置１０２で撮影した画像データを入力する画像データ入力部１０５と、ＧＰＳデータの受信日時と画像データの撮影日時を照合し、画像データの撮影日時に最も近い受信日時を持つＧＰＳデータを関連づける撮影位置設定部１０６と、画像データと撮影位置情報とを関連付けて記憶する画像データベース１０７を用いて画像データを管理する。【選択図】図１
2007020054.tif 000002
【特許請求の範囲】
【請求項１】
撮影した画像データを撮影日時と関連づけて記憶された画像データを入力する画像データ入力ステップと、受信日時と受信位置を記憶可能なＧＰＳ受信手段によって記憶されたＧＰＳデータを入力するＧＰＳデータ入力ステップと、画像データの撮影日時とＧＰＳデータの受信日時を照合し、画像データに日時が最も近いＧＰＳデータを関連付けて記憶する撮影位置設定ステップとを有する画像管理方法。
【請求項２】
前記撮影位置設定ステップは、入力された全てのＧＰＳデータを受信日時順に並べるＧＰＳデータ整列ステップと、ある日時に撮影された画像データに対し、直前あるいは直後に受信したＧＰＳデータのうち、日時が近い方のＧＰＳデータを関連づける撮影日時照合ステップを含むことを特徴とする画像管理方法。
【請求項３】
前記ＧＰＳ受信手段は画像データ撮像手段を備え、前記ＧＰＳデータは、ユーザの前記ＧＰＳ受信手段の撮像動作に連動して取得した、受信日時と受信位置と画像データからなることを特徴とする請求項１に記載の画像管理方法。
【請求項４】
請求項１から請求項３のいずれかの請求項に記載の画像管理方法により、画像を管理する画像管理装置。
【請求項５】
請求項１から請求項３のいずれかの請求項に記載の画像管理方法を実行させるプログラム。
【請求項６】
請求項５に記載したプログラムを記録した媒体。
【発明の詳細な説明】
【技術分野】
【０００１】
本発明は、ＧＰＳ受信装置を持たない撮像装置で撮影した画像データを撮影位置情報で管理するための方法及び装置に関するものである。
【背景技術】
【０００２】
過去に撮影した画像ライブラリの中から所望の画像データを検索する際、撮影位置情報は撮影日時情報などの時間的情報と比較して強く記憶に残っていることが多く、検索キーとして非常に有効な情報である。
【０００３】
従来の撮影位置情報を用いた管理手法としては、例えば特許文献１に記載のように、ＧＰＳ（Ｇｌｏｂａｌ  Ｐｏｓｉｔｉｏｎｉｎｇ  Ｓｙｓｔｅｍ）受信装置を備えた撮像装置にて現在位置のＧＰＳデータ（緯度、経度、高度）を取得し、サービスサーバを介してＧＰＳデータを地名／所在地データに変換し、撮影した画像データと関連付けて管理データを生成する手法等が提案されている。
【０００４】
また、デジタルカメラで撮影された画像には、撮影条件などの付帯情報を格納するためのＥｘｉｆ（Ｅｘｃｈａｎｇｅａｂｌｅ  ｉｍａｇｅ  ｆｉｌｅ  ｆｏｒｍａｔ）規格が定められており、その中に画像データを撮影した位置を記録することが可能である。
【０００５】
ここで、これらの手法を利用して画像データに撮影位置情報を関連付けるためには、撮像装置がＧＰＳ受信装置を内蔵している、あるいは別のＧＰＳ受信装置と接続可能である必要がある。しかし、デジタルカメラやビデオカメラなど一般的に普及している撮像装置の多くはＧＰＳ受信装置を備えていないため、撮影した画像データにＧＰＳデータを関連付けることができず、撮影位置情報をキーとした検索を行うことができない。
【特許文献１】特開２００３−３３７７７４号公報
【発明の開示】
【発明が解決しようとする課題】
【０００６】
解決しようとする問題点は、ＧＰＳ受信装置を備えていない撮像装置で撮影された画像データには撮影位置情報が関連付けられていないため、撮影位置情報をキーとした分類・検索が行えない点である。
【課題を解決するための手段】
【０００７】
本発明は、撮影した画像データを撮影日時と関連づけて記憶可能な撮影装置と、受信日時と受信位置を同時に記憶可能なＧＰＳ受信装置とを併用し、両者の日時を照合し、撮影位置情報を持たない画像データに対して、日時が最も近いＧＰＳ受信位置を関連付けて記憶することを最も主要な特徴とする。
【発明の効果】
【０００８】
本発明によれば、ＧＰＳ受信装置を備えていない撮像装置で撮影された画像データに対しても撮影位置情報を関連づけて記憶することができ、撮影位置情報をキーとした分類・検索が可能になるという利点がある。
【発明を実施するための最良の形態】
【０００９】
以下、本発明の実施の形態を、図１〜図８を用いて説明する。
【００１０】
（実施の形態１）
本実施例では、撮影装置としてデジタルカメラ、ＧＰＳ受信装置としてＧＰＳ機能およびカメラ機能を搭載した携帯電話（以下、ＧＰＳカメラ携帯と称す）を用いる。
【００１１】
図１は本発明の画像管理方法の実施例を示す構成図である。図１において、１０１はＧＰＳ受信装置、１０２は撮像装置、１０３は画像管理装置を示している。画像管理装置１０３は、ＧＰＳカメラ携帯によって撮影された画像データを入力するＧＰＳデータ入力部１０４と、デジタルカメラによって撮影された画像データを入力する画像データ入力部１０５と、ＧＰＳデータの撮影日時と画像データの撮影日時を照合し、画像データの撮影日時に最も近い撮影日時を持つＧＰＳデータ関連付ける撮影位置設定部１０６と、画像データと撮影位置情報とを関連付けて記憶する画像データベース１０７で構成される。
【００１２】
図２は、本実施例で用いる装置の構成を示す外観図である。図２において、２０１はＧＰＳカメラ携帯、２０２はデジタルカメラ、２０３および２０４はメモリーカード、２０５はパーソナルコンピュータである。ＧＰＳカメラ携帯２０１、およびデジタルカメラ２０２で撮影された画像データはそれぞれメモリーカード２０３、２０４に記録される。パーソナルコンピュータ２０５はメモリーカード２０３、２０４から画像データを読み出し、画像管理を行う。本実施例では、ＧＰＳ受信装置１０１がＧＰＳカメラ携帯２０１に、撮像装置１０２がデジタルカメラ２０２に、画像管理装置１０３がパーソナルコンピュータ２０５にそれぞれ該当する。
【００１３】
図３はＧＰＳカメラ携帯２０１の撮像部の構成図である。図３は、撮影した画像を出力する画像撮影部３０１と、衛星からの電波を受信して撮影地点の位置を検出するＧＰＳ受信部３０２と、画像と撮影位置を対応付けて画像データとして生成する制御部３０３と、生成された画像データを記憶するメモリ３０４を備えている。
【００１４】
制御部３０３によって撮影が指示されると、画像撮影部３０１ではレンズを通してイメージセンサ上に結ばれた像をもとに画像データが生成される。同時にＧＰＳ受信部３０２ではＧＰＳ衛星と通信を行い、現在位置を示すＧＰＳ信号（緯度、経度）を得る。制御部３０３は画像と撮影位置情報を対応付けてメモリ３０４に記憶する。このとき、制御部３０３はさらに、撮影日時情報も同時に対応付けてメモリ３０４に記憶する。メモリ３０４はメモリーカード等の着脱可能な記憶媒体である。
【００１５】
デジタルカメラ２０２は、着脱可能な記憶媒体を装着することが可能であり、撮影した画像データを撮影日時情報とともに記憶媒体に記憶することが可能な撮像装置である。
【００１６】
以下、撮影から画像管理までの流れを記載する。ユーザは撮影地にデジタルカメラ、およびＧＰＳカメラ携帯の両方を持参する。ユーザは画像撮影装置を２台持参することになるが、ＧＰＳカメラ携帯の本来の用途は携帯電話であり、常に持ち歩いていることが想定されるため、画像撮影装置を２台持って出かけるということを意識させるものではない。
【００１７】
図４はある地域の地図を示している。ユーザは撮影地１、撮影地２、撮影地３の順に移動し、各撮影地において撮影を行なったものとする。このとき、ユーザは撮影地ごとに、ＧＰＳカメラ携帯で少なくとも１枚撮影をしておく。撮影した画像データの例を図５に示す。撮影日時情報、撮影位置情報はいずれもＥｘｉｆ情報の中に記録されている。
【００１８】
撮影後、ユーザはデジタルカメラ、ＧＰＳカメラ携帯のそれぞれから記憶媒体を取り外し、パーソナルコンピュータに装着する。ＧＰＳデータ入力部１０４はＧＰＳカメラ携帯で撮影されたＧＰＳ情報付き画像データを読み込むと同時に、Ｅｘｉｆ情報に記録された撮影日時情報、撮影位置情報を抽出する。画像データ入力部１０５はデジタルカメラで撮影された画像データを読み込むと同時に、Ｅｘｉｆ情報に記録された撮影日時情報を抽出する。撮影位置設定部１０６では、画像データ入力部１０５で読み込まれた画像データのそれぞれに対し、ＧＰＳデータ入力部１０４で読み込まれたＧＰＳ情報付き画像データの中から最も撮影日時が近いＧＰＳデータを関連付け、画像データベース１０８に登録する。
【００１９】
図６に、撮影位置設定部１０６のフローチャートを示す。まず、ＧＰＳデータ入力部１０４で入力された全てのＧＰＳ情報付き画像データを撮影日時順に並べる（Ｓ６０１）。次に、画像データ入力部１０５で入力された撮影位置情報が付加されていない画像データの１つを選択し（Ｓ６０２）、その撮影日時が直後のＧＰＳ情報付き画像データの撮影日時より直前のＧＰＳ情報付き画像データの撮影日時に近い場合は、直前のＧＰＳ情報付き画像データが持つＧＰＳデータを付加する（Ｓ６０４）。逆に、直後のＧＰＳ情報付き画像データの撮影日時に近い場合は、直後のＧＰＳ情報付き画像データが持つＧＰＳデータを付加する（Ｓ６０５）。以上の処理を、全ての画像データにＧＰＳ情報が付加されるまで繰り返す。
【００２０】
図７は、上述の方法でデジタルカメラの画像データに対して撮影位置情報を付加する例を示している。図５の画像データに対して実際に撮影位置情報を付加した場合、図８に示す結果となる。
【００２１】
なお、ここでは本発明の一実施例として日時が最も近いＧＰＳデータを付加する方法を説明しているが、撮影位置設定部１０６は、常に直前あるいは直後のＧＰＳデータを付加する方法でもよい。
【００２２】
以上、本発明の一実施例について説明したが、画像管理装置１０３をＧＰＳ受信装置１０１または撮像装置１０２が含む構成でもよい。また、画像データに関連付ける撮影日時情報、撮影位置情報をＥｘｉｆ情報に格納する例を説明したが、画像データとは別の位置に格納してもよい。
【産業上の利用可能性】
【００２３】
本発明にかかる画像管理方法及び装置を用いれば、ＧＰＳ受信装置を備えていない撮像装置で撮影された画像データを撮影位置情報で管理することが可能となる。
【図面の簡単な説明】
【００２４】
【図１】本発明の画像管理方法の実施例を示す構成図
【図２】本実施例で用いる装置の構成を示す外観図
【図３】図２のＧＰＳカメラ携帯の撮像部を示す構成図
【図４】本発明の実施の形態１における撮影地の地図を模した図
【図５】図４の各撮影地にて撮影した画像データの例を示す図
【図６】図１の撮影位置設定部のフローチャート
【図７】デジタルカメラの画像データに対して撮影位置情報を付加する例を示す図
【図８】図５の画像データに位置情報が付加された結果を示す図
【符号の説明】
【００２５】
１０１    ＧＰＳ受信装置
１０２    撮像装置
１０３    画像管理装置
１０４    ＧＰＳデータ入力部
１０５    画像データ入力部
１０６    撮影日時照合部
１０７    撮影位置設定部
１０８    画像データベース
２０１    ＧＰＳカメラ携帯
２０２    デジタルカメラ
２０３    メモリーカード
２０４    メモリーカード
２０５    パーソナルコンピュータ
３０１    画像撮影部
３０２    ＧＰＳ受信部
３０３    制御部
３０４    メモリ
【図１】
2007020054.tif 000003
【図２】
2007020054.tif 000004
【図３】
2007020054.tif 000005
【図４】
2007020054.tif 000006
【図５】
2007020054.tif 000007
【図６】
2007020054.tif 000008
【図７】
2007020054.tif 000009
【図８】
2007020054.tif 000010